(57)【要約】    【課題】多世帯仕様から単世帯仕様に変更した場合、常に世帯間の転送ができるようにする。    【解決手段】例えば親世帯室内親機２Ａのタッチパネル２３の世帯切替操作ボタン２３ｃが単世帯住居に切り替えられ且つ該親世帯室内親機２Ａがタッチパネル２３の転送設定操作ボタン２３ｂで転送設定されている場合に、来訪者が親世帯住居の玄関子機１の呼出ボタン１１を押下すると、該親世帯室内親機２Ａの制御部２５の単世帯設定回路２５ｃが転送設定解除回路２５ｂの機能と転送設定保持回路２５ａの機能を無効とし、常時、転送設定状態にしているので、転送された子世帯住居の子世帯室内親機４Ａ、増設室内親機４Ｂの各タッチパネル４３、および転送した親世帯住居の親世帯室内親機２Ａ、増設親世帯室内親機２Ｂの各タッチパネル２３の何れの操作により応答しても転送設定を保持する。【選択図】図１
2006074183.tif 000002
【特許請求の範囲】
【請求項１】
呼出ボタンを有する自世帯玄関子機が操作部を有する自世帯室内親機とそれぞれ伝送線路で接続され、呼出ボタンを有する他世帯玄関子機が操作部を有する他世帯室内親機とそれぞれ伝送線路で接続され、自世帯室内親機が他世帯室内親機と伝送線路で接続され、前記自世帯室内親機および前記他世帯室内親機は、多世帯住居で自世帯住居から他世帯住居へ又はその逆に前記呼出ボタンによる呼び出しを転送する転送設定手段と、前記自世帯玄関子機、前記自世帯室内親機、前記他世帯玄関子機および前記他世帯室内親機を前記多世帯住居での使用または単世帯住居での使用の何れかに切り替える世帯切替設定手段とを備え、
前記転送設定手段は、前記世帯切替設定手段で前記多世帯住居に切り替えられ、且つ当該転送設定手段によって前記呼出ボタンが押下された側の室内親機が転送設定されている場合に、来訪者が何れかの玄関子機の呼出ボタンを押下すると、自世帯室内親機、他世帯室内親機の呼び出しを鳴動し、呼び出し状態になった自世帯室内親機、他世帯室内親機のうち、転送された世帯住居の室内親機の操作部の操作により応答しても転送設定を保持する転送設定保持機能と、転送した世帯住居の室内親機の操作部の操作により応答すると転送設定を解除する転送設定解除機能とを有し、
前記世帯切替設定手段は、前記単世帯住居に切り替えられている場合には前記転送設定手段を無効とし、常時、前記転送設定状態にする単世帯設定機能を有することを特徴とするインターホン装置。
【請求項２】
呼出ボタンを有する自世帯玄関子機が操作部を有する自世帯室内親機とそれぞれ伝送線路で接続され、呼出ボタンを有する他世帯玄関子機が操作部を有する他世帯室内親機とそれぞれ伝送線路で接続され、自世帯室内親機が他世帯室内親機と伝送線路で接続され、
前記自世帯室内親機および前記他世帯室内親機は、前記呼出ボタンによる呼び出しを転送するための転送設定手段により多世帯住居で自世帯住居から他世帯住居へ又はその逆に転送し、世帯切替設定手段により前記自世帯玄関子機、前記自世帯室内親機、前記他世帯玄関子機および前記他世帯室内親機を前記多世帯住居での使用または単世帯住居での使用の何れかに切り替えるにあたり、
来訪者が何れかの玄関子機の呼出ボタンを押下すると、前記世帯切替設定手段が前記多世帯住居に切り替えられ且つ前記呼出ボタンが押下された側の室内親機が前記転送設定手段により転送設定されている場合には、呼び出し状態になった自世帯室内親機、他世帯室内親機のうち、転送された世帯住居の室内親機の操作部の操作により応答しても転送設定を保持し、転送した世帯住居の室内親機の操作部の操作により応答すると転送設定を解除し、前記世帯切替設定手段が前記単世帯住居に切り替えられている場合には、転送された世帯住居の室内親機の操作部、および転送した世帯住居の室内親機の操作部の何れの操作により応答しても、常時、前記転送設定状態にすることを特徴とするインターホン装置の制御方法。
【発明の詳細な説明】
【技術分野】
【０００１】
本発明はインターホン装置およびその制御方法に係り、特に多世帯住居向けの仕様として他世帯住居に対し玄関子機呼び出しの転送機能を有するインターホン装置およびその制御方法に関する。
【背景技術】
【０００２】
近年、高齢化に伴い２世帯住宅が増えてきており、インターホン装置もその２世帯住宅に適合したものが開発・製品化されている（例えば、特許文献１参照。）。この２世帯住宅に適合したインターホン装置は、親世帯住居には玄関に取り付けられる玄関子機と住居内に設置される親世帯室内親機とを備え、子世帯住居にも玄関に取り付けられる玄関子機と住居内に設置される子世帯室内親機とを備え、親世帯室内親機と子世帯室内親機とが伝送線路で接続されている。また、各玄関子機は呼出ボタン、カメラ、スピーカ、マイクを備え、各インターホン親機はタッチパネル、表示部、送受話器等を備えている。
【０００３】
このように構成されたインターホン装置による一般的な呼び出し、応答動作について、図３に示すフローチャートに基づき説明する。
【０００４】
例えば、親世帯住居の玄関に居る来訪者が玄関子機の呼出ボタンを押下すると（ＳＴ３１）、親世帯室内親機で転送設定（他世帯設定）がされていない場合は（ＳＴ３２）、親世帯室内親機のみが呼出状態になり玄関子機のカメラで撮像された映像が表示部に出画されるので（ＳＴ３３）、この自世帯室内親機となる親世帯室内親機で応答操作すると（ＳＴ３４）、親世帯住居の玄関子機と親世帯室内親機とで通話を行うことができ（ＳＴ３５）、この通話を終了すると（ＳＴ３６）、親世帯室内親機は待ち受け状態になる。
【０００５】
また、親世帯住居の玄関に居る来訪者が玄関子機の呼出ボタンを押下した際（ＳＴ３１）、親世帯室内親機で転送設定されている場合は（ＳＴ３２）、親世帯住居の親世帯室内親機と子世帯住居の子世帯室内親機で呼び出し状態になり玄関子機のカメラで撮像された映像が表示部に出画される（ＳＴ３７）。この際、親世帯室内親機で転送設定されているので、子世帯住居の他世帯室内親機となる子世帯室内親機で応答操作すると（ＳＴ３８、ＳＴ３９）、親世帯住居の玄関子機と子世帯室内親機とで通話を行うことができ（ＳＴ４０）、この通話を終了すると子世帯室内親機は待ち受け状態になる（ＳＴ４１）。また、親世帯住居の自世帯室内親機となる親世帯室内親機で応答操作すると（ＳＴ３８、ＳＴ４２）、親世帯住居の玄関子機と親世帯室内親機のみとで通話を行うことができ（ＳＴ４３）、この通話を終了すると親世帯室内親機は待ち受け状態になる（ＳＴ４４）。
【０００６】
【特許文献１】特開平１１−２８４９９３号公報
【発明の開示】
【発明が解決しようとする課題】
【０００７】
背景技術において示したインターホン装置では、転送設定されていると、親世帯住居の玄関子機から呼び出しがあった場合に、子世帯住居の子世帯室内親機で応答操作後、待ち受け状態にしても転送設定は保たれるが、親世帯住居の親世帯室内親機で応答操作後、待ち受け状態にすると、転送設定は解除されるので（ＳＴ４５）、子世帯住居の子世帯室内親機は再度、転送設定を行わないと親世帯住居の玄関子機から呼び出しがあった場合に子世帯室内親機で呼び出し状態にならない。即ち、転送設定した自世帯室内親機で呼出応答操作してしまうと転送設定が解除されてしまうので、その都度、転送設定機能を設定し直さなければならず、ライフスタイルの変化などにより単世帯住居として使用したい場合に対応できなくなる難点があった。
【０００８】
本発明はこのような従来の難点を解決するためになされたもので、多世帯仕様から単世帯仕様に変更しても、常に世帯間の転送ができるインターホン装置およびその制御方法を提供することを目的とする。
【課題を解決するための手段】
【０００９】
本発明のインターホン装置は、呼出ボタンを有する自世帯玄関子機が操作部を有する自世帯室内親機とそれぞれ伝送線路で接続され、呼出ボタンを有する他世帯玄関子機が操作部を有する他世帯室内親機とそれぞれ伝送線路で接続され、自世帯室内親機が他世帯室内親機と伝送線路で接続されている。
【００１０】
第１の態様であるインターホン装置の自世帯室内親機および他世帯室内親機は、多世帯住居で自世帯住居から他世帯住居へ又はその逆に前記呼出ボタンによる呼び出しを転送する転送設定手段と、自世帯玄関子機、自世帯室内親機、他世帯玄関子機および他世帯室内親機を多世帯住居での使用または単世帯住居での使用の何れかに切り替える世帯切替設定手段とを備え、転送設定手段は、世帯切替設定手段で多世帯住居に切り替えられ、且つ当該転送設定手段によって呼出ボタンが押下された側の室内親機が転送設定されている場合に、来訪者が何れかの玄関子機の呼出ボタンを押下すると、自世帯室内親機、他世帯室内親機の呼び出しを鳴動し、呼び出し状態になった自世帯室内親機、他世帯室内親機のうち、転送された世帯住居の室内親機の操作部の操作により応答しても転送設定を保持する転送設定保持機能と、転送した世帯住居の室内親機の操作部の操作により応答すると転送設定を解除する転送設定解除機能とを有し、世帯切替設定手段は、単世帯住居に切り替えられている場合には世帯切替設定手段は前記転送設定手段を無効とし、常時、前記転送設定状態にする単世帯設定機能を有するものである。
【００１１】
また、第２の態様であるインターホン装置の制御方法は、自世帯室内親機および他世帯室内親機は、呼出ボタンによる呼び出しを転送するための転送設定手段により多世帯住居で自世帯住居から他世帯住居へ又はその逆に転送し、世帯切替設定手段により自世帯玄関子機、自世帯室内親機、他世帯玄関子機および他世帯室内親機を多世帯住居での使用または単世帯住居での使用の何れかに切り替えるにあたり、来訪者が何れかの玄関子機の呼出ボタンを押下すると、世帯切替設定手段が多世帯住居に切り替えられ且つ呼出ボタンが押下された側の室内親機が転送設定手段により転送設定されている場合には、呼び出し状態になった自世帯室内親機、他世帯室内親機のうち、転送された世帯住居の室内親機の操作部の操作により応答しても転送設定を保持し、転送した世帯住居の室内親機の操作部の操作により応答すると転送設定を解除し、世帯切替設定手段が単世帯住居に切り替えられている場合には、転送された世帯住居の室内親機の操作部、および転送した世帯住居の室内親機の操作部の何れの操作により応答しても、常時、転送設定状態にするものである。
【００１２】
このようなインターホン装置およびそのインターホン呼出方法によれば、多世帯仕様の場合は従来のままの転送機能で使用し、単世帯仕様の場合は自世帯室内親機の操作によっても転送機能が解除されないように世帯切替できるので、多世帯住居から単世帯住居への変化にも対応できるインターホン装置を提供できる。
【発明の効果】
【００１３】
本発明のインターホン装置およびその制御方法によれば、親の死別、子供の成長等によるライフスタイルの変化などにより多世帯住居仕様を単世帯住居仕様として使用したい場合に容易に対応可能とすることができる。
【発明を実施するための最良の形態】
【００１４】
以下、本発明のインターホン装置およびその制御方法における好ましい実施の形態例について、図面を参照して説明する。
【００１５】
本発明のインターホン装置は図１（ａ）に示すように、例えば２世帯用インターホン装置で、親世帯住居には、来訪者が親世帯住居の居住者を呼び出して通話するための玄関子機１と、玄関子機１からの呼び出しを確認した居住者が応答して来訪者との間で通話する親世帯室内親機２Ａ、増設親世帯室内親機２Ｂとを備えている。また、子世帯住居には、親世帯住居と同様に、来訪者が子世帯住居の居住者を呼び出して通話するための玄関子機３と、玄関子機３からの呼び出しを確認した居住者が応答して来訪者との間で通話する子世帯室内親機４Ａ、増設子世帯室内親機４Ｂとを備えている。親世帯住居の玄関子機１は親世帯室内親機２Ａに伝送線路Ｌ１で接続され、親世帯室内親機２Ａと増設親世帯室内親機２Ｂとは伝送線路Ｌ２で接続されている。また、子世帯住居の玄関子機３は子世帯室内親機４Ａに伝送線路Ｌ３で接続され、子世帯室内親機４Ａと増設子世帯室内親機４Ｂとは伝送線路Ｌ４で接続されている。さらに、親世帯室内親機２Ａと子世帯室内親機４Ａとは伝送線路Ｌ５で接続されている。
【００１６】
親世帯住居の玄関子機１は、来訪者が居住者を呼び出すための呼出ボタン１１と、居住者と通話するための親機マイクロフォン１２、親機スピーカ１３と、来訪者を撮像するためのカメラ１４とを備えている。
【００１７】
親世帯住居の親世帯室内親機２Ａ、増設親世帯室内親機２Ｂは、来訪者と通話するための親機マイクロフォン２１、親機スピーカ２２と、種々の操作情報を入力するための操作部となるタッチパネル２３と、種々の情報を表示するための表示部２４と、これらを制御する制御部２５とを備えている。
【００１８】
また、親世帯室内親機２Ａのタッチパネル２３は図１（ａ）、（ｂ）に示すように、親世帯住居の玄関子機１や子世帯住居の玄関子機３からの呼び出しに対して応答するための呼出応答手段となる呼出応答操作ボタン２３ａと、自世帯住居となる親世帯住居から他世帯住居となる子世帯住居へ玄関子機１の呼出ボタン１１による呼び出しを転送する転送設定手段となる転送設定操作ボタン２３ｂと、自世帯玄関子機となる親世帯玄関子機１、自世帯室内親機となる親世帯室内親機２Ａ、増設親世帯室内親機２Ｂ、他世帯玄関子機となる子世帯玄関子機３、および他世帯室内親機となる子世帯室内親機４Ａ、増設子世帯室内親機４Ｂを２世帯住居での使用または単世帯住居での使用の何れかに切り替える世帯切替設定手段となる世帯切替操作ボタン２３ｃとを有している。なお、図示していないが、増設親世帯室内親機２Ｂにも親世帯住居の玄関子機１や子世帯住居の玄関子機３からの呼び出しに対して応答するための呼出応答手段となる呼出応答操作ボタン２３ａを有している。
【００１９】
また、子世帯住居の玄関子機３、子世帯室内親機４Ａ、増設子世帯室内親機４Ｂも親世帯住居の玄関子機１、親世帯室内親機２Ａ、増設親世帯室内親機２Ｂと同様の構成で、玄関子機３は呼出ボタン３１、子機マイクロフォン３２、子機スピーカ３３およびカメラ３４を備え、子世帯室内親機４Ａ、増設子世帯室内親機４Ｂは子機マイクロフォン４１、子機スピーカ４２、タッチパネル４３、表示部４４および制御部４５とを備えている。この子世帯室内親機４Ａのタッチパネル４３も親世帯室内親機２Ａのタッチパネル２３と同様の構成で図１（ａ）、（ｃ）に示すように、子世帯住居の玄関子機３や親世帯住居の玄関子機１からの呼び出しに対して応答するための呼出応答手段となる呼出応答操作ボタン４３ａと、自世帯住居となる子世帯住居から他世帯住居となる親世帯住居へ玄関子機３の呼出ボタン３１による呼び出しを転送する転送設定手段となる転送設定操作ボタン４３ｂと、自世帯玄関子機となる子世帯玄関子機３、および自世帯室内親機となる子世帯室内親機４Ａ、増設子世帯室内親機４Ｂ、および他世帯室内親機となる親世帯玄関子機１、他世帯室内親機となる親世帯室内親機２Ａ、増設親世帯室内親機２Ｂを２世帯住居での使用または単世帯住居での使用の何れかに切り替える世帯切替設定手段となる世帯切替操作ボタン４３ｃとを有している。なお、図示していないが、増設子世帯室内親機４Ｂにも子世帯住居の玄関子機３や親世帯住居の玄関子機１からの呼び出しに対して応答するための呼出応答手段となる呼出応答操作ボタン４３ａを有している。
【００２０】
このように構成された２世帯用インターホン装置の親世帯室内親機２Ａ、子世帯室内親機４Ａの各制御部２５、４５には、転送設定手段としての転送設定保持機能および転送設定解除機能と、世帯切替設定手段としての単世帯設定機能とを有している。
【００２１】
親世帯室内親機２Ａの制御部２５は図１（ａ）、（ｂ）に示すように、タッチパネル２３の世帯切替操作ボタン２３ｃで多世帯住居に切り替えられ、且つタッチパネル２３の転送設定操作ボタン２３ｂによって転送設定されている場合に、来訪者が何れかの玄関子機１、３の呼出ボタン１１、３１を押下すると、親世帯室内親機２Ａ、増設親世帯室内親機２Ｂ、子世帯室内親機４Ａ、増設子世帯室内親機４Ｂの親機スピーカ２２、子機スピーカ４２から呼び出しを鳴動し、呼び出し状態になった各室内親機２Ａ、２Ｂ、４Ａ、４Ｂのうち、転送された子世帯室内親機４Ａ、増設子世帯室内親機４Ｂが備えたタッチパネル４３の呼出応答操作ボタン４３ａの操作により応答しても転送設定を保持する転送設定保持機能を有する転送設定保持回路２５ａを備えている。また、親世帯室内親機２Ａの制御部２５は、親世帯室内親機２Ａで転送設定されている場合には、タッチパネル２３の呼出応答操作ボタン２３ａの操作により応答すると転送設定を解除する転送設定解除機能を有する転送設定解除回路２５ｂを備えている。さらに、親世帯室内親機２Ａの制御部２５は、タッチパネル２３の世帯切替操作ボタン２３ｃで単世帯住居に切り替えられている場合には、転送設定解除回路２５ｂの転送設定解除機能と転送設定保持回路２５ａの転送設定保持機能を無効とし、常時、転送設定状態にする単世帯設定機能を有する単世帯設定回路２５ｃを備えている。
【００２２】
また、子世帯室内親機４Ａの制御部４５も親世帯室内親機２Ａの制御部２５と同様の構成で図１（ａ）、（ｃ）に示すように、タッチパネル４３の世帯切替操作ボタン４３ｃで多世帯住居に切り替えられ、且つタッチパネル４３の転送設定操作ボタン４３ｂによって転送設定されている場合に、来訪者が何れかの玄関子機１、３の呼出ボタン１１、３１を押下すると、子世帯室内親機４Ａ、増設子世帯室内親機４Ｂ、親世帯室内親機２Ａ、増設親世帯室内親機２Ｂの子機スピーカ４２、親機スピーカ２２から呼び出しを鳴動し、呼び出し状態になった各室内親機４Ａ、４Ｂ、２Ａ、２Ｂのうち、転送された親世帯室内親機２Ａ、増設親世帯室内親機２Ｂが備えたタッチパネル２３の呼出応答操作ボタン２３ａの操作により応答しても転送設定を保持する転送設定保持機能を有する転送設定保持回路２５ａを備えている。また、子世帯室内親機４Ａの制御部４５は、子世帯室内親機４Ａで転送設定されている場合には、タッチパネル４３の呼出応答操作ボタン４３ａの操作により応答すると転送設定を解除する転送設定解除機能を有する転送設定解除回路４５ｂを備えている。さらに、子世帯室内親機４Ａの制御部４５は、タッチパネル４３の世帯切替操作ボタン４３ｃで単世帯住居に切り替えられている場合には、転送設定解除回路４５ｂの転送設定解除機能と転送設定保持回路４５ａの転送設定保持機能を無効とし、常時、転送設定状態にする単世帯設定機能を有する単世帯設定機能を有する単世帯設定回路４５ｃを備えている。
【００２３】
次に、本発明の２世帯用インターホン装置による呼び出し、応答動作の制御方法について、図２に示すフローチャートに基づき説明する。
【００２４】
まず、親世帯住居に設置された親世帯室内親機２Ａのタッチパネル２３の世帯切替操作ボタン２３ｃで２世帯住居での使用に切替操作する（ＳＴ１２）。この状態において、例えば、親世帯住居の玄関に居る来訪者が玄関子機１の呼出ボタン１１を押下すると（ＳＴ１１）、親世帯室内親機２Ａが備えたタッチパネル２３の転送設定操作ボタン２３ｂで転送設定（他世帯設定）がされていない場合（ＳＴ１３）は、親世帯室内親機２Ａや増設親世帯室内親機２Ｂが呼出状態になり玄関子機１のカメラ１４で撮像された映像が表示部２４に出画されるので（ＳＴ１４）、この自世帯室内親機となる親世帯室内親機２Ａや増設親世帯室内親機２Ｂで応答操作すると（ＳＴ１５）、親世帯住居の玄関子機１と親世帯室内親機２Ａや増設親世帯室内親機２Ｂとで通話を行うことができ（ＳＴ１６）、この通話を終了すると（ＳＴ１７）、親世帯室内親機２Ａや増設親世帯室内親機２Ｂは待ち受け状態になる。
【００２５】
また、親世帯住居の玄関に居る来訪者が玄関子機１の呼出ボタン１１を押下した際（ＳＴ１１）、親世帯室内親機２Ａが備えたタッチパネル２３の転送設定操作ボタン２３ｂで転送設定されている場合は（ＳＴ１３）、親世帯住居の親世帯室内親機２Ａ、増設親世帯室内親機２Ｂと子世帯住居の子世帯室内親機４Ａ、増設子世帯室内親機４Ｂで呼び出し状態になり玄関子機１のカメラ１４で撮像された映像が表示部２４、４４に出画される（ＳＴ１８）。この際、子世帯住居の他世帯室内親機となる子世帯室内親機４Ａや増設子世帯室内親機４Ｂで応答操作すると（ＳＴ１９、ＳＴ２０）、親世帯住居の玄関子機１と子世帯室内親機４Ａや増設子世帯室内親機４Ｂとで通話を行うことができ（ＳＴ２１）、この通話を終了すると子世帯室内親機４Ａや増設子世帯室内親機４Ｂは待ち受け状態になる（ＳＴ２２）。また、親世帯住居の自世帯室内親機となる親世帯室内親機２Ａや増設親世帯室内親機２Ｂで応答操作すると（ＳＴ１９、ＳＴ２３）、親世帯住居の玄関子機１と親世帯室内親機２Ａや増設親世帯室内親機２Ｂとで通話を行うことができ（ＳＴ２４）、この通話を終了すると親世帯室内親機は待ち受け状態になる（ＳＴ２５）。この際、親世帯室内親機２Ａが備えた制御部２５の転送設定解除回路２５ｃにより転送設定が解除される（ＳＴ２６）。
【００２６】
なお、子世帯住居に設置された子世帯室内親機４Ａの世帯切替操作ボタン４３ｃで２世帯住居での使用に切替操作したりしても同様の呼び出し、応答動作の制御方法なので説明を省略する。
【００２７】
次に、親世帯住居に設置された親世帯室内親機２Ａのタッチパネル２３の世帯切替操作ボタン２３ｃで単世帯住居での使用に切替操作する。この状態において、例えば、親世帯住居で来訪者が玄関子機１の呼出ボタン１１で呼び出し操作を行うと（ＳＴ１１）、親世帯室内親機２Ａ、増設親世帯室内親機２Ｂ、子世帯室内親機４Ａ、増設子世帯室内親機４Ｂの親機スピーカ２２、子機スピーカ４２から呼出音が鳴動し、玄関子機１のカメラ１４で撮像された来訪者の映像が親世帯室内親機２Ａ、増設親世帯室内親機２Ｂ、子世帯室内親機４Ａ、増設子世帯室内親機４Ｂの表示部２４、４４に出画される（ＳＴ２７）。この際、親世帯室内親機２Ａの制御部２５は単世帯設定回路２５ｃが、転送設定解除回路２５ｂの転送設定解除機能と転送設定保持回路２５ａの転送設定保持機能を無効とし、常時、転送設定状態にしているので（ＳＴ１２）、自世帯室内親機である親世帯室内親機２Ａや増設親世帯室内親機２Ｂが備えたタッチパネル２３の呼出応答操作ボタン２３ａを操作して呼出応答し（ＳＴ２８）、親機マイクロフォン１２、親機スピーカ１３で玄関子機３の子機マイクロフォン３２、子機スピーカ３３と通話を行い終話しても転送設定は保持されている（ＳＴ２９、ＳＴ３０）。したがって、その後、親世帯住居の玄関子機１や子世帯住居の玄関子機３から呼び出しがあっても、親世帯室内親機２Ａ、増設親世帯室内親機２Ｂ、子世帯室内親機４Ａ、増設子世帯室内親機４Ｂの親機スピーカ２２、子機スピーカ４２から呼出音が鳴動すると共に、親世帯室内親機２Ａや増設親世帯室内親機２Ｂが備えたタッチパネル２３の呼出応答操作ボタン２３ａを操作して呼出応答することができる。なお、他世帯室内親機である子世帯室内親機４Ａや増設子世帯室内親機４Ｂが備えたタッチパネル４３の呼出応答操作ボタン４３ａを操作して呼出応答した場合においても、親世帯室内親機２Ａの制御部２５は単世帯設定回路２５ｃが、転送設定解除回路２５ｂの転送設定解除機能と転送設定保持回路２５ａの転送設定保持機能を無効とし、常時、転送設定状態にしているので（ＳＴ１２）、子世帯室内親機４Ａや増設子世帯室内親機４Ｂが備えたタッチパネル４３の呼出応答操作ボタン４３ａを操作して呼出応答し（ＳＴ２８）、子機マイクロフォン３２、子機スピーカ３３で玄関子機３の子機マイクロフォン３２、子機スピーカ３３と通話を行い終話しても転送設定は保持されている（ＳＴ２９、ＳＴ３０）。
【００２８】
また、子世帯住居に設置された子世帯室内親機４Ａのタッチパネル４３の世帯切替操作ボタン４３ｃで単世帯住居での使用に切替操作しても、親世帯住居に設置された親世帯室内親機２Ａと同様で、例えば、子世帯住居で来訪者が玄関子機３の呼出ボタン３１で呼び出し操作を行うと（ＳＴ１１）、子世帯室内親機４Ａ、増設子世帯室内親機４Ｂ、親世帯室内親機２Ａ、増設親世帯室内親機２Ｂの子機スピーカ４２、親機スピーカ２２から呼出音が鳴動し、玄関子機３のカメラ３４で撮像された来訪者の映像が子世帯室内親機４Ａ、増設子世帯室内親機４Ｂ、親世帯室内親機２Ａ、増設親世帯室内親機２Ｂの表示部４４、２４に出画される（ＳＴ２７）。この際、子世帯室内親機４Ａの制御部４５は単世帯設定回路４５ｃが、転送設定解除回路４５ｂの転送設定解除機能と転送設定保持回路４５ａの転送設定保持機能を無効とし、常時、転送設定状態にしているので（ＳＴ１２）、自世帯室内親機である子世帯室内親機４Ａや増設子世帯室内親機４Ｂが備えたタッチパネル４３の呼出応答操作ボタン４３ａを操作して呼出応答し（ＳＴ２８）、子機マイクロフォン３２、子機スピーカ３３で玄関子機１の親機マイクロフォン１２、親機スピーカ１３と通話を行い終話しても転送設定は保持されている（ＳＴ２９、ＳＴ３０）。したがって、その後、子世帯住居の玄関子機３や親世帯住居の玄関子機１から呼び出しがあっても、子世帯室内親機４Ａ、増設子世帯室内親機４Ｂ、親世帯室内親機２Ａ、増設親世帯室内親機２Ｂの子機スピーカ４２、親機スピーカ２２から呼出音が鳴動すると共に、子世帯室内親機４Ａや増設子世帯室内親機４Ｂが備えたタッチパネル４３の呼出応答操作ボタン４３ａを操作して呼出応答することができる。なお、親世帯住居の親世帯室内親機２Ａや増設親世帯室内親機２Ｂが備えたタッチパネル２３の呼出応答操作ボタン２３ａを操作して呼出応答した場合においても、子世帯室内親機４Ａの制御部４５は単世帯設定回路４５ｃが、転送設定解除回路４５ｂの転送設定解除機能と転送設定保持回路４５ａの転送設定保持機能を無効とし、常時、転送設定状態にしているので（ＳＴ１２）、他世帯室内親機である親世帯室内親機２Ａや増設親世帯室内親機２Ｂが備えたタッチパネル２３の呼出応答操作ボタン２３ａを操作して呼出応答し（ＳＴ２８）、親機マイクロフォン１２、親機スピーカ１３で玄関子機３の子機マイクロフォン３２、子機スピーカ３３と通話を行い終話しても転送設定は保持されている（ＳＴ２９、ＳＴ３０）。
【００２９】
このように転送設定した自世帯室内親機で呼出応答操作しても転送設定機能を設定し直さなくとも済むので、ライフスタイルの変化などにより２世帯仕様から単世帯仕様に変更した場合でも、常に世帯間の転送ができるようになる。
【００３０】
上述した本発明の２世帯用インターホン装置においては、タッチパネルで呼び出し応答操作していたが、これに限らず、呼出応答ボタンや送受話器が備えられている場合には、それらによって玄関子機からの呼び出しに対する応答操作を行ってもよい。
【００３１】
また、上述した本発明のインターホン装置においては、２世帯用インターホン装置を用いて説明していたが、これに限らず、３世帯用やそれ以上の世帯数用のものでも適用させることができる。この場合、各信号に固有のアドレス等を付加してどの世帯住居に送信される信号かを識別できるようにするとよい。また、本発明でいう子世帯には孫世帯も含むものとする。また、世帯とは、住居および生計を共にする集団をいう。
【図面の簡単な説明】
【００３２】
【図１】本発明のインターホン装置における好ましい実施の形態例を示す図で、（ａ）は全体ブロック図、（ｂ）は自世帯室内親機の詳細ブロック図、（ｃ）は親世帯室内親機の詳細ブロック図である。
【図２】２世帯用インターホン装置による呼び出し、応答動作のフローチャート図である。
【図３】従来の２世帯用インターホン装置による呼び出し、応答動作のフローチャート図である。
【符号の説明】
【００３３】
１、３……玄関子機
２Ａ……親世帯室内親機
２Ｂ……増設親世帯室内親機
４Ａ……子世帯室内親機
４Ｂ……増設子世帯室内親機
１１、３１……呼出ボタン
２３、４３……タッチパネル（操作部）
Ｌ１、Ｌ２、Ｌ３、Ｌ４、Ｌ５……伝送線路
【図１】
2006074183.tif 000003
【図２】
2006074183.tif 000004
【図３】
2006074183.tif 000005